(57)【要約】【課題】超音波センサの被測定物への結合及び取付けを容易かつ短時間で可能にするとともに、乾燥等の経時変化を抑制し、超音波が長期間にわたって確実に伝搬されるようにすることで、高い検出精度と信頼性とが得られる超音波センサの取付け方法、及び超音波センサ取付けホルダを提供すること。【解決手段】容器内に保持された液体を検出する超音波センサＳの取付けホルダ１であって、前記超音波センサ１０の検出面Ｓ１に密着自在とされるとともに、前記超音波センサＳに接する面１０Ａと前記容器に接する面の両面に粘着層１１Ａ、を有する両面テープ１０と、前記両面テープ１０を保持するとともに、前記超音波センサＳの検出面Ｓ１を、前記両面テープ１０を介して前記容器の外表面に対向配置する取付け部材２とを備えることを特徴とする。【選択図】図１
2007139437.tif 000002
【特許請求の範囲】
【請求項１】
容器内に保持された液体を検出する超音波センサの取付け方法であって、
可撓性を有する固体からなり、前記超音波センサの検出面を前記固体の一方側の面に密着させる第１の密着手段と、前記容器の外表面を前記固体の一方側の面の反対側に位置し、前記一方側の面に対向配置される他方側の面に密着させる第２の密着手段とを備えた超音波伝搬媒質を介して、
前記超音波センサの検出面と前記容器の外表面とを接続させることを特徴とする超音波センサの取付け方法。
【請求項２】
請求項１記載の超音波センサの取付け方法であって、
前記超音波伝搬媒質はシート状に形成され、
前記第１の密着手段と前記第２の密着手段とは、粘着層からなることを特徴とする超音波センサの取付け方法。
【請求項３】
請求項２記載の超音波センサの取付け方法であって、
前記超音波伝搬媒質は、アクリル樹脂であることを特徴とする超音波センサの取付け方法。
【請求項４】
請求項２又は請求項３記載の超音波センサの取付け方法であって、
前記超音波伝搬媒質は、前記超音波センサとの接触部に粘着抑制手段を備えることを特徴とする超音波センサの取付け方法。
【請求項５】
容器内に保持された液体を検出する超音波センサの取付けホルダであって、
前記超音波センサの検出面に密着自在とされるとともに、前記超音波センサに接する面と前記容器に接する面の両面に粘着層を有するシート状の超音波伝搬媒質と、
前記シート状の超音波伝搬媒質を保持するとともに、
前記超音波センサの検出面を、前記シート状の超音波伝搬媒質を介して前記容器の外表面に対向配置する取付け部材とを備えることを特徴とする超音波センサの取付けホルダ。
【請求項６】
請求項５記載の超音波センサの取付けホルダであって、
前記超音波伝搬媒質は、アクリル樹脂から構成されていることを特徴とする超音波センサの取付けホルダ。
【請求項７】
請求項５又は請求項６に記載の超音波センサの取付けホルダであって、
前記超音波伝搬媒質は、前記超音波センサとの接触部に粘着抑制手段を備えていることを特徴とする超音波センサの取付けホルダ。
【請求項８】
容器内に保持された液体を検出する超音波センサの取付けホルダであって、
前記容器の外表面と前記超音波センサの検出面とを対向配置させる可撓性の固体からなる超音波伝搬媒質と、
前記超音波伝搬媒質に前記超音波センサの検出面を密着させる密着手段と、
前記超音波伝搬媒質を前記容器の外表面に密着させる吸着手段とを備えていることを特徴とする超音波センサの取付けホルダ。
【発明の詳細な説明】
【技術分野】
【０００１】
この発明は、容器内に保持された液体を超音波センサで検出する場合の、超音波センサの取付け方法、及び超音波センサ取付けホルダに関するものである。
【背景技術】
【０００２】
超音波を用いて容器内に保持された液体のレベルや有無を検出する場合、容器側面の表面に取り付けられた超音波センサの検出面から超音波を発信し、容器壁部及び液体を介して反響する反射波の伝搬状態によって、液体のレベルや有無を検出することが一般的に行なわれている。
【０００３】
このように超音波センサによって液面を検出する場合、超音波センサの検出面と容器表面との間に、例えば空気層等、超音波の伝搬に対する障害が存在すると、超音波が容器内にある液体のレベルや有無を確実に検出することができないため、検出面と容器表面との間に液体又はジェルからなる結合媒質（以下、カプラントという）を充たすことで検出面と容器とを音響的に結合して超音波の散乱や減衰を抑制することで、検出に充分な超音波が確実に伝搬するようにしている。（例えば、特許文献１参照。）。
【特許文献１】実開昭６２−１８９７４４号公報
【発明の開示】
【発明が解決しようとする課題】
【０００４】
しかし、上記従来の超音波センサと容器との結合方法によると、カプラントが液体又はジェルであるため、カプラントの取扱い、超音波センサの検出面の結合、取付けが煩雑で個人差やバラツキが生じやすく、また長期間にわたる使用により乾燥等の経時変化が生じて超音波の確実な伝搬が困難となり検出精度や信頼性が低下するという問題があった。
【０００５】
本発明は、このような事情を考慮してなされたものであり、超音波センサの被測定物への結合及び取付けを容易かつ短時間で可能にするとともに、乾燥等の経時変化を抑制し、超音波が長期間にわたって確実に伝搬されるようにすることで、高い検出精度と信頼性とが得られる超音波センサの取付け方法、及び超音波センサ取付けホルダを提供することにある。
【課題を解決するための手段】
【０００６】
上記のような課題を解決するために、請求項１に記載の発明は、容器内に保持された液体を検出する超音波センサの取付け方法であって、可撓性を有する固体からなり、前記超音波センサの検出面を前記固体の一方側の面に密着させる第１の密着手段と、前記容器の外表面を前記固体の一方側の面の反対側に位置し、前記一方側の面に対向配置される他方側の面に密着させる第２の密着手段とを備えた超音波伝搬媒質を介して、前記超音波センサの検出面と前記容器の外表面とを接続させることを特徴とする。
【０００７】
この発明に係る超音波センサの取付け方法によれば、超音波伝搬媒質は、可撓性を有する固体から構成され、超音波センサの検出面及び容器の外表面に沿って変形、密着可能とされる。また、超音波伝搬媒質は、超音波センサの検出面を密着させる第１の密着手段と、容器の外表面を密着させる第２の密着手段とを備えているので、超音波センサの検出面と容器の外表面とが超音波伝搬媒質を介して密着し、超音波センサの検出面と容器の外表面との間の超音波伝搬の阻害要因がなくなるので、液体又はジェル状のカプラントを用いることなく超音波センサの検出面が容器に音響的に結合される。
【０００８】
請求項２に係る発明は、請求項１記載の超音波センサの取付け方法であって、前記超音波伝搬媒質はシート状に形成され、前記第１の密着手段と前記第２の密着手段とは、粘着層からなることを特徴とする。
【０００９】
この発明に係る超音波センサの取付け方法によれば、超音波伝搬媒質が固体のシート状であるため、液体又はジェル状のカプラントに比較して取扱が容易、繰返して使用できるので、ランニングコストを抑制することができる。
また、乾燥等、取付け後の経時変化が小さいため、長期間にわたる多数回の使用に対して、安定した検出を維持することができる。
【００１０】
請求項３に係る発明は、請求項２記載の超音波センサの取付け方法であって、前記超音波伝搬媒質は、アクリル樹脂であることを特徴とする。
【００１１】
この発明に係る超音波センサの取付け方法によれば、シート状のアクリル樹脂から構成されているので、超音波の減衰が抑制されて効率よく伝搬されるとともに、音響的結合を確実に行なうことができる。
また、透明なシート状のアクリル樹脂を用いることにより容器表面の状態を、また、容器が透明又は半透明の場合には容器内を容易に確認することが可能であり、取付け作業や確認作業を容易かつ確実にすることができる。
【００１２】
請求項４に係る発明は、請求項２又は請求項３記載の超音波センサの取付け方法であって、前記超音波伝搬媒質は、前記超音波センサとの接触部に粘着抑制手段を備えることを特徴とする。
【００１３】
この発明に係る超音波センサの取付け方法によれば、超音波センサの検出面が、超音波伝搬媒質の超音波センサ側の粘着層に必要以上に強く粘着されることがなく、超音波センサを取り外す際に、超音波センサに大きな外力が加わることが抑制され超音波センサの損傷を抑制することができる。
【００１４】
請求項５に係る発明は、容器内に保持された液体を検出する超音波センサの取付けホルダであって、前記超音波センサの検出面に密着自在とされるとともに、前記超音波センサに接する面と前記容器に接する面の両面に粘着層を有するシート状の超音波伝搬媒質と、前記シート状の超音波伝搬媒質を保持するとともに、前記超音波センサの検出面を、前記シート状の超音波伝搬媒質を介して前記容器の外表面に対向配置する取付け部材とを備えることを特徴とする。
【００１５】
この発明に係る超音波センサの取付けホルダによれば、超音波伝搬媒質が、超音波センサに接する面と容器に接する面の両面に粘着層を有しているので、超音波伝搬媒質がホルダに確実に保持されるとともに、超音波伝搬媒質が容器及び超音波センサに密着し易く、また、容器と超音波センサの検出面とがシート状の超音波伝搬媒質を介して確実に対向配置されるので、液体又はジェル状のカプラントを用いることなく、容器と超音波センサとが音響的に確実に結合される。また、超音波伝搬媒質が固体のシート状であるため、経時変化が小さく長期間にわたり安定した検出を維持することができる。
【００１６】
また、取付けホルダを用いることにより、検出面を容器の表面に容易に対向配置させることができ、短時間に取り付け可能とされ、また、個人差や取付け時の作業のばらつきが発生し難くい。
また、超音波伝搬媒質の粘着層を取付けホルダに粘着させることにより、長期間の使用や取付け取り外しを繰返した場合でも、超音波伝搬媒質の変形が抑制され、検出面を正確に容器表面に対向させ続けることができるとともに、長期間にわたって安定した検出精度と信頼性を維持することができる。
したがって、液体又はジェル状のカプラントに比較して取扱が容易で、かつランニングコストを抑制される。
【００１７】
請求項６に係る発明は、請求項５記載の超音波センサの取付けホルダであって、前記超音波伝搬媒質は、アクリル樹脂から構成されていることを特徴とする。
【００１８】
この発明に係る超音波センサの取付けホルダによれば、超音波伝搬媒質がシート状のアクリル樹脂から構成されているので、超音波の減衰が抑制されて効率よく伝搬されて、音響的結合を確実に行なうことができ、また、透明なシート状のアクリル樹脂を用いた場合、容器表面の状態や容器内を容易に確認することが可能であり、取付け作業や超音波センサを使用する場合の確認作業を容易かつ確実にすることができる。
【００１９】
請求項７に係る発明は、請求項５又は請求項６に記載の超音波センサの取付けホルダであって、前記超音波伝搬媒質は、前記超音波センサとの接触部に粘着抑制手段を備えていることを特徴とする。
【００２０】
この発明に係る超音波センサの取付けホルダによれば、容器側が粘着層とされ、超音波伝搬媒質を取付けホルダに容易かつ確実に保持させることができ、さらに、検出面に粘着抑制部を備えているので、超音波センサの検出面が必要以上に強く粘着されることがなく、超音波センサを取り外す際に必要以上に大きな外力が加わるのが抑制され、超音波センサの損傷が抑制される。
【００２１】
請求項８に係る発明は、容器内に保持された液体を検出する超音波センサの取付けホルダであって、前記容器の外表面と前記超音波センサの検出面とを対向配置させる可撓性の固体からなる超音波伝搬媒質と、前記超音波伝搬媒質に前記超音波センサの検出面を密着させる密着手段と、前記超音波伝搬媒質を前記容器の外表面に密着させる吸着手段とを備えていることを特徴とする。
【００２２】
この発明に係る超音波センサの取付けホルダによれば、超音波伝搬媒質は、容器の外表面と超音波センサの検出面とを対向配置させるように、その対応する面同士が略平行に形成され、可撓性を有することで容器の外表面及び超音波センサの検出面に沿って密着可能な固体からなり、超音波センサの検出面を密着させる密着手段を備えているので、超音波伝搬媒質と超音波センサの検出面が確実に密着されるとともに、吸着手段を備えているので容器の外表面に密着され、その結果、超音波伝搬媒質を介して液体又はジェル状のカプラントを用いることなく超音波センサの検出面と容器とが音響的に確実に結合される。
また、容器の外表面側の密着手段が、吸着手段によるものであるので、取付け、取り外しが容易とされ、簡便に取り扱うことができる。
【発明の効果】
【００２３】
本発明に係る超音波センサの取付け方法、及び取付けホルダによれば、超音波センサの被測定物への結合及び取付けを容易かつ短時間で確実に行なうことができる。また、経時変化を抑制し、長期間にわたって超音波を確実に伝搬可能にすることで、高い検出精度と信頼性を確保することができる。
【発明を実施するための最良の形態】
【００２４】
以下、本発明の実施形態について、図面を参照して説明する。
図１、図２は、本発明に係る超音波センサの取付けホルダと超音波センサとの取付け関係を示す図であり、符号１は取付けホルダを、符号Ｓは超音波センサを、符号１０は両面テープ（超音波伝達媒質）を示している。以下、図１、図２に基づいて、取付けホルダの構成について説明する。
【００２５】
取付けホルダ１は、取付けホルダ本体（取付け部材）２と、両面テープ１０とを備えており、取付けホルダ本体２は、略平板状に形成された主壁部３の中央部に超音波センサＳが挿入可能とされる係合部４を備えている。
また、取付けホルダ本体２の主壁部３には、両面テープ１０の一方側の面が粘着されることによって主壁部３が両面テープ１０を堅固に保持し、両面テープ１０の他方側の面が容器Ｖの表面にしっかりと固定、取付け可能とされている。
【００２６】
係合部４は、円筒状に形成された円筒壁部５を備え、円筒壁部５はその軸線が容器Ｖの被測定部に対して垂直になるように取付けホルダ本体２に配置され、超音波センサＳが挿入された場合に、検出面Ｓ１が容器Ｖ表面と対向配置されるようになっている。
【００２７】
また、円筒壁部５の超音波センサＳが挿入される側の開口部７は、例えば小判形に形成され、開口部７の形状と相補的に小判形に形成されたセンサ係合部Ｓ２が所定の向きで開口部７を通過可能とされ、センサ係合部Ｓ２が開口部７を通過した後、超音波センサＳが軸線廻りに回動されることで、センサ係合部Ｓ２の長手方向端部に位置する円弧状の突部が、係合部６と係合することで超音波センサＳが容器Ｖ側に押圧されるようになっている。
【００２８】
係合部６は、円筒壁部５の周方向に延在する２つの孔から構成され、これら孔は円筒壁部５の軸線を中心点として点対称の位置に互いに対向して形成され、挿入された超音波センサＳを軸線廻りの取付け方向、例えば右回転方向に回動することによって超音波センサＳが容器Ｖ側に前進するように軸方向にリードを有するスリットされている。
この実施形態において、係合部６は円筒壁部５の内方から外方に貫通する２つの孔として形成されている。
主壁部３には、係合部４を介して挿入された超音波センサＳの検出面Ｓ１が、両面テープ１０の一方側の面１０Ａに当接可能に開口部が設けられている。
【００２９】
両面テープ１０は、一定の厚みを有しシート状に形成された透明かつ軟質のアクリル樹脂製のシートからなるテープ基体１１と、アクリル系粘着剤からなる粘着層（第１の密着手段）１１Ａ、（第２の密着手段）１１Ｂとを備えており、粘着層１１Ａはテープ基体１１が超音波センサＳの検出面Ｓ１と当接する側の面に、粘着層１１Ｂはテープ基体１１が容器Ｖと当接する側の面に設けられている。
ここで、軟質のアクリル樹脂としては、硬度０〜７０（ＪＩＳ  K６２５３  デュロメータ  タイプＡ）のものが望ましい。
また、粘着層１１Ｂには、検出面Ｓ１に粘着するのを抑制するためのフッ素コート層（粘着抑制手段）１５が設けられている。
【００３０】
次に、図３に基づいて、取付けホルダ１の取付け方法について説明する。
例えば、血液リザーバをはじめとする血液や体液保持された容器Ｖの、容器Ｖ内に保持された検出対象の液体Ｌを検出するのに適した対象部位、例えば、容器Ｖの外表面の液体Ｌと気体の境界付近に、両面テープ１０の他方側の面１０Ｂを密着させて取付けホルダ１を貼り付ける。
【００３１】
この場合、容器Ｖ内に保持された液体Ｌは、所定量が静置状態で容器Ｖ内に保持されていてもよく、容器Ｖに流入口、流出口のいずれかが設けられて流入、流出のいずれか又は双方が行なわれて液位が変化するものであってもよい。
また、容器Ｖが透明又は半透明で内部の物質の高さが確認できる場合には、必要に応じて、係合部４の開口部７と透明な両面テープ１０を通して視認しながら容器Ｖ内部の液体Ｌの高さに合わせて取付けホルダ１を粘着してもよい。
【００３２】
次に、超音波センサＳの小判形のセンサ係合部Ｓ２と、係合部４に形成された小判形に形成された開口部７の位置を合わせて、開口部７に超音波センサＳを挿入するとともに、超音波センサＳを回動させる。
超音波センサＳが軸線廻りに取付け方向に回動されると、センサ係合部Ｓ２の長手方向端部に位置する円弧状の突部が係合部６と係合し、さらに回動されると係合部６の軸方向に形成されたリードによって、超音波センサＳが容器Ｖ側に軸方向に進行するとともに押圧され、検出面S１が両面テープ１０の一方側の面１０Ａに密着される。
【００３３】
このようにすることで、超音波センサＳの検出面Ｓ１と、容器Ｖの外表面とが接続されるとともに、音響的に結合される。
この状態で、超音波センサＳの検出面Ｓ１から超音波を発信し、両面テープ１０を介して、容器Ｖの外表面から超音波を容器Ｖ内方向に通過させて、液体Ｌの有無による反響波形により液体の有無を検出する。
【００３４】
取付けホルダを容器Ｖから取り外す場合には、超音波センサSが取付けられ又は取り外された状態にて、取付けホルダ１を容器から離間する方向に引張り、両面テープ１０の粘着層１１Ａを容器Ｖの表面から剥がして離間することで、取付けホルダ１を容器Ｖから取り外すことができる。
【００３５】
上記実施の形態の取付けホルダ１によれば、超音波伝搬媒質が、シート状のアクリル樹脂からなり、検出面Ｓ１と容器Ｖを両面テープ１０の両側の面１０Ａ、１０Ｂに密着させ、音響的に安定して結合されるとともに、超音波の減衰を抑制して、超音波を効率よく伝播させることができる。
【００３６】
その結果、検出面を容器の表面に容易に対向配置させることができ、短時間に取り付け可能とされ、また、個人差や取付け時の作業のばらつきが発生し難く、液体やジェルのカプラントに比較して取扱いが容易なため、取付けに際して個人差が生じにくく安定した取付けが可能である。
また、カプラントが液体やジェル状でないため、複数回繰返して使用可能であり、ランニングコストを大幅に削減することができる。
【００３７】
超音波センサＳを係合部材４への取付けに際して、係合部材４の開口部から超音波センサＳを挿入し、回動させることによって取付け可能とされるので、工具等を用いることなく手作業で取付け、取り外しが可能で、取扱いが容易である。
【００３８】
また、容器Ｖから取付けホルダ１を容易に取り外すことが可能であるため、超音波センサＳによる測定位置を短時間、かつ容易に変更することができる。
両面テープ１０は、振動吸収作用があるため、超音波センサＳが振動で動くことによって生ずる位置ずれや傾きを防ぐことができる。
また、アクリル樹脂からなる両面テープ１０は、透明であるので容器Ｖに粘着する際に超音波センサＳの位置が接する位置を確認しながら取付けることが容易にできる。
【００３９】
また、両面テープ１０の粘着層１１Ｂには、フッ素コート層１５が設けられているので、超音波センサＳの検出面Ｓ１が、両面テープ１０の粘着層１１Ｂに必要以上に強く粘着されることがなく、超音波センサＳを取り外す際に、超音波センサＳに必要以上に大きな外力が加わるのが抑制されるので、超音波センサＳの損傷を抑制することができる。
【００４０】
また、両面テープ１０の粘着層１１Ｂを取付けホルダ１に粘着させることにより、長期間の使用や取付け取り外しを繰返した場合でも、両面テープ１０の変形が抑制され、また、両面テープ１０の一方側の面１０Ａが取付けホルダ本体２の主壁部３の平面部に堅固に保持されているので、取付けホルダ１を取付け、取外しする際に両面テープ１０が変形し難く、検出面１０を正確に容器Ｖの外表面に対向させ続けることができるとともに、長期間にわたって安定した検出精度と信頼性を維持することができる。
【００４１】
次にこの発明の第２の実施形態について図４に基づいて説明する。
図４は、第２の実施形態に係る超音波センサの取付けホルダ１を示す図である。この実施の形態において、第１の実施形態と構成が同一とされ、同一の部分については同一の符号を付すとともに説明を省略する。
【００４２】
超音波センサの取付けホルダ１において、超音波伝搬媒質１２は、多段円柱形状に形成され、超音波センサＳの検出面Ｓ１を超音波伝搬媒質に密着させる密着手段１３と、超音波伝搬媒質の容器Ｖ側の面を容器Ｖに密着させる吸盤（吸着手段）１４を備え、例えば、上記第１の実施形態で説明した可撓性を有する軟質のアクリル樹脂から構成されている。
ここでいう可撓性とは、第１の実施形態で望ましいとした軟質のアクリル樹脂において硬度０〜７０（ＪＩＳ  K６２５３  デュロメータ  タイプＡ）とされる性質を指すものであり、第２の実施形態でいう多段の円柱形状の超音波伝搬媒質１２自体が撓むことを必ずしも意味しない。
【００４３】
また、密着手段１３は超音波センサＳの外径と略同径に形成された凹部１２Ａとされ、凹部１２Ａは、底面（一方側の面）１０Ａと、可撓性を有する壁部１２Ｂとを備えており、底面（一方側の面）１０Ａと、容器Ｖの外表面に密着される面（他方側の面）１０Bとは略平行に形成され対向配置されている。
吸盤１４は、超音波伝搬媒質１２の円柱形状の外周に取付けられ、多段円柱形状の大径部に、吸盤１４の中央部の貫通孔内周に形成された環状大径部が係合することにより超音波伝搬媒質１２と一体化されるようになっており、超音波伝搬媒質１２と同材質の軟質のアクリル樹脂によって構成されている。
【００４４】
次に、図４に基づいて、第２の実施形態における取付けホルダ１の取付け方法について説明する。
容器Ｖ内に保持された液体Ｌを検出するのに適した対象部位、例えば、容器Ｖの外表面の液体Ｌと気体の境界付近に、吸盤１４を容器Ｖに押付けて、吸盤１４内部の空気を排出させることによって、取付けホルダ１を容器Ｖに吸着させる。
【００４５】
次いで、凹部１２Ａを構成する壁部１２Ｂをわずかに拡大させて超音波センサＳを凹部１２Ａ内に挿入し、超音波センサＳの検出面Ｓ１は、壁部１２Ｂの収縮力によって凹部１２Ａの底面（一方側の面）１０Ａに引きつけられて密着される。
この状態で、超音波センサＳの検出面Ｓ１と容器Ｖの外表面は、接合されるとともに音響的に結合される。
【００４６】
以上のように構成された超音波センサの取付けホルダ１は、超音波伝搬媒質１２は、超音波センサSの検出面Ｓ１を密着させる密着手段を備えているので、超音波伝搬媒質１２が超音波センサＳがしっかりと保持され、超音波伝搬媒質１２に超音波センサＳの検出面Ｓ１が底面１０Ａに密着されるとともに、吸盤１４により容器Ｖの外表面が超音波伝搬媒質１２の他方側の面１０Ｂに密着させられる。
【００４７】
その結果、液体又はジェル状のカプラントを用いることなく超音波センサＳの検出面Ｓ１と容器Ｖの外表面とを超音波伝搬媒質１２を介して接続させ、音響的に確実に結合することができる。
また、容器Ｖの外表面側の密着手段が、吸盤１４であるので、容器Ｖへの取付け、取り外しが容易である。
また、超音波センサSの密着手段が軟質のアクリル樹脂の可撓性を用いたものであり、簡便で機械的な外力に対して堅固であるとともに、接着剤等を用いる必要がなく、コストが削減可能である。
【００４８】
なお、本発明は上記実施の形態に限定されるものではなく、その趣旨を逸脱しない範囲で適宜変更可能である。
例えば、両面テープ１０がアクリル樹脂の場合について説明したが、アクリル樹脂以外の材質、例えば、シリコン、ウレタンを用いてもよい。また、粘着層１１Ａ、１１Ｂを構成する粘着剤についても、アクリル系粘着剤に限定されるものではない。
また、超音波センサＳが粘着層１１Ａに強く貼着するのを防止する粘着防止手段として、粘着層１１Ａの表面にフッ素コート層１５が設けられている場合について説明したが、その範囲のみ粘着剤を塗布しないことによって粘着防止手段としてもよい。
【００４９】
また、図１では、主壁部３が略長方形の場合について示したが、主壁部３の形状については、円形、多角形、その他取付部の形状に対応した任意の形状に形成可能なことはいうまでもなく、また係合部４の構成に関しても、上記実施の形態に限定されるものではない。
また、上記実施の形態においては、超音波センサＳ側の粘着層１１Ａにおける粘着抑制手段の例として、粘着層１１Ａにフッ素コート層１５が形成された場合について説明したが、他の剥離性が良好な材料、例えば、ウレタンをコーティングしてもよい。
【００５０】
また、上記第２の実施形態においては、超音波伝搬媒質１２と吸盤１４とがともに、軟質のアクリル樹脂からなる場合について説明したが、これらは、例えば、シリコン、ウレタンによって構成されてもよく、それぞれ異なる材質から構成されてもよく、吸盤１４については、ゴム等の超音波伝搬が必ずしも良好でない材質で構成することもできる。
また、超音波伝搬媒質１２と吸盤１４とが別々に形成され、係合させて一体化する構成としたが、一体成形された構造であってもよい。
【００５１】
また、密着手段１３として、凹部１２Ａを、吸着手段として吸盤１４を用いた場合について説明したが、これ以外の密着手段、吸着手段を用いてもよい。
【００５２】
また、粘着層１１Ａの超音波センサの検出部に粘着層１１Ａを設けないようにしてもよく、また、対象部に粘着性が弱い材料を塗布し、又は粘着層１１Ａの表面を、例えば網掛け状等にコーティングして粘着層の粘着力を抑制するようにしてもよい。また、粘着抑制手段を形成する範囲については、検出面Ｓ１の全部でも一部であってもよい。
また、上記実施の形態においては、容器Ｖとして、血液リザーバをはじめとする血液や体液保持された医療用の容器Ｖの場合について説明したが、その他の用途の容器にも適用することができる。
【図面の簡単な説明】
【００５３】
【図１】本発明に係る取付けホルダと超音波センサとの取付け関係を示す斜視図である。
【図２】本発明に係る取付けホルダの容器側からの斜視図である。
【図３】本発明に係る第１の実施形態の取付けホルダを容器に取付けた状態を示す図である。
【図４】本発明に係る第２の実施形態の取付けホルダを容器に取付けた状態を示す図である。
【符号の説明】
【００５４】
１    取付けホルダ
２    取付けホルダ本体（取付け部材）
４    係合部材
１０    両面テープ（超音波伝搬媒質）
１０Ａ  一方側の面
１０Ｂ  他方側の面
１１    テープ基体
１１Ａ、１１Ｂ  粘着層（密着手段）
１２    超音波伝搬媒質
１２Ａ  密着手段
１４    吸盤（吸着手段）
１５    フッ素コート層（粘着抑制手段）
Ｌ    液体
Ｓ      超音波センサ
Ｓ１    検出面
Ｖ    容器
【図１】
2007139437.tif 000003
【図２】
2007139437.tif 000004
【図３】
2007139437.tif 000005
【図４】
2007139437.tif 000006